(57)【特許請求の範囲】
【請求項１】
橋梁のコンクリート床版を複数のブロックに切断し、梃子を撤去ブロック上に間隔をおいて対称に配置し、梃子の腕と撤去ブロックを連結し、梃子の腕をジャッキで持ち上げて二つの梃子の端部を接触させて押し合わせた状態として撤去ブロックを持ち上げて桁から剥離する橋梁床版の撤去方法。
【請求項２】
請求項１において、梃子は、腕と腕の支持脚からなる橋梁床版の撤去方法。
【請求項３】
請求項２において、撤去ブロックに貫通穴を設け、梃子の腕から延びる鋼棒と連結してある橋梁床版の撤去方法。
【請求項４】
請求項１〜３のいずれかにおいて、対向する梃子の間にスペーサを設置して相互に接近させて一体化する橋梁床版の撤去方法。
【請求項５】
請求項１〜３のいずれかにおいて、対向する梃子の間にヒンジを有するスペーサを介在させた橋梁床版の撤去方法。
【請求項６】
一端に支持脚を有する二つの独立した梃子と両梃子の間に介在させるヒンジを有するスペーサからなる橋梁床版撤去装置。
【発明の詳細な説明】
【０００１】
【発明の属する技術分野】
本発明は、老朽化等により修繕が必要となったコンクリート製床版を撤去する方法に関する。
【０００２】
【従来の技術】
交通荷重により損傷したり、年月の経過により老朽化した橋梁のコンクリート床版を補修するため、既存の床版を解体撤去する必要がある。また、橋梁に対するトラック荷重の基準が引き上げられ、古い基準の床版を撤去して新基準に合わせて打ち替えする必要が生じてきた。
従来、ブレーカ等で床版を破砕撤去していたが、破砕片が落下しないように防護工事が必要であり、効率が悪かった。また、カッターで床版をブロックに切断し、クレーン等で引き上げる方法の場合、床版と桁はジベルで強固に結合されており、この結合を解除する際、床版が急激に持ち上げられて機器に損傷を与えたり、周囲に危害を加えたりすることがあり、安全施工が難しかった。
【０００３】
そこで、床版を切断してブロックに分割し、ジャッキを利用してこのブロックを上方に持ち上げ、その力で床版と桁との結合を破壊解除する方法が特公平７−２６３６９、及び、特公平７−２６３７１に提案されている。
前者の工法は、図６に示すように、コンクリート床版を切断してブロックに分割し、ブロックを跨ぐ梁を設置し、梁に設けたセンターホールジャッキでブロックを引き上げて、桁から引き剥がすものである。また後者の工法は、図７に示すように、梁を撤去ブロックを跨いで架け渡し、梁とブロックを鋼棒で連結し、両端に配置したジャッキで梁を持ち上げ、撤去ブロックを桁から引き剥がすものである。
【０００４】
【発明が解決しようとする課題】
ブロックは、幅２ｍ程度に分割されており、したがって、これらにまたがる梁は２ｍを超える大きな装置となり、重量がかさみ、キャスターなどの移動補助具を設けても、運搬、設置に多大な労力を必要とし、現場における作業中の移動も簡単にはおこなえないものであった。
また、桁とジベル等で連結されている床版を引き剥がすには大きな力を必要とし、これをジャッキの引き上げ力で得ようとすると能力の大きな装置を必要とした。
現場作業は、簡易な装置で作業をおこなうことが望ましく、本発明は、床版の撤去作業を簡単な装置で、また、より小さな力でコンクリート床版を撤去できるようにするものである。
【０００５】
【課題を解決するための手段】
このため、橋梁のコンクリート床版を撤去する場合において、床版を複数のブロックに切断分割し、梃子を撤去ブロックに間隔をあけて対称に設置し、梃子の腕と撤去ブロックを連結し、梃子の腕の端部を持ち上げ、対向する梃子を競り合わせることによって、撤去ブロックと桁との結合を解除して撤去するものである。
【０００６】
具体的には、梃子は腕の端部に支持脚を有し、梃子の支持脚を撤去ブロック上に間隔をあけて対称に設置し、梃子の腕と撤去ブロックを鋼棒などで連結し、梃子の腕の端部をジャッキで持ち上げて支持脚を傾斜させて梃子の端部を競り合わせ、梃子の作用で撤去ブロックと桁の結合を解除して撤去するものである。
梃子の競り合わせをスムースにおこなうために梃子の角を面取りまたは曲面に形成してある。
【０００７】
撤去ブロックの幅が大きく、梃子の腕が隣のブロックに到達しない場合には梃子の間にスペーサを設置して競り合わせをおこなわせる。
さらに、このスペーサにヒンジを設けることにより、梃子の競り合わせをスムースにおこなわせることができる。
【０００８】
梃子を間隔をあけて対向させており、一つの装置が小型化され、橋梁上という狭い領域への搬入が容易になると共に、現場における設置、移動が簡単におこなえるようになった。
また、梃子を競り合わせて撤去ブロックを桁から剥離撤去するので、梃子の作用によりジャッキの力が増幅され、ジャッキの能力が従来のものより小さなものでよくなった。
【０００９】
【発明の実施の形態】
図１に示すように、コンクリート床版１をコンクリートカッターで幅２ｍのブロック２１、２２、２３に切断し、このブロックに貫通穴をホールソー、または、ドリルであける。ブロックの切断と貫通穴の穿孔のどちらを先にするかは、現場の作業のやり易さを考慮して定める。
【００１０】
ついで、図３の平面図に示すように、桁から引き剥がす撤去ブロック２１の中央部に梃子１０の支持脚１２を８０ｍｍの間隔をあけて対称に配置する。図示の例は、平行に２組設置してある。梃子１０の腕１１の端部は、隣接ブロック２２、２３に達するようにする。撤去ブロック２１の幅が梃子１０の腕１１より大きくて隣のブロックに到達しない場合には、図４に示すように、支持脚１２の設置間隔を大きくとり、対向する梃子１０の間にスペーサ１５を挿入するか、または、延長部材を継ぎ足す。
スペーサ１５は、延長部材１６と、延長部材を回転可能に連結するヒンジ１７からなっている。
【００１１】
梃子１０の腕１１の中央部には溝が設けてあり、鋼棒５を任意の位置に固定できる。また、途中に鋼棒５を取り付ける複数の穴を設けるようにしてもよい。
撤去ブロック２１に設けた貫通穴と位置が一致する部分にネジ付き鋼棒５（ゲビンデスタブ）を支持板とナットで固定し、梃子１０の腕１１と撤去ブロック２１を連結する。
梃子１０の端部に設けたジャッキ６を同期させて作動させ、梃子１０の腕１１を上に持ち上げると、図２に示すように、支持脚１２の下端を中心に支持脚１２が回転し、両方の支持脚１２が角部で接触し、競り合う状態となる。支持脚１２の角部に競り合いの際に大きな荷重が作用するので、補強したり、または、回転しやすいように面取したり、曲面に形成する。
【００１２】
ジャッキ６をさらに伸長すると、支持脚１２の角部が互いに押し合い、梃子１０の腕１１は支持脚１２の接触部を支点に回転し、鋼棒５を引き上げる。鋼棒５に伝達された引き上げ力は撤去ブロック２１を下面から持ち上げ、撤去ブロック２１と桁のジベルなどの結合部材を破壊して撤去ブロック２１を桁から引き剥がす。
【００１３】
撤去ブロック２１が桁から剥離したところで、一時的に保持し、撤去ブロック２１から梃子１０を移動させ、撤去ブロック２１をフォークリフトやクレーンで撤去する。
この作業を繰り返し、コンクリート床版を全て撤去する。
【００１４】
【発明の効果】
二つの梃子を対向して配置し、両者を競り合わせ、その梃子作用で撤去ブロックを上方に上げるので、ブロック幅より大きな梁を必要とせず、狭い作業現場に適合した簡易な装置で床版を撤去することができる。
また、梃子作用でブロックを持ち上げるので、従来に比較して小さな容量のジャッキで床版と桁との結合を破壊でき、油圧ポンプの能力が小さくてもよく、装置の小型化が達成できた。
また、二つの分割した梃子を使用するので、狭い橋上でも移動や設置が容易であり、さらに、バックホーなどの機械を使用して容易に移動設置することができる。
撤去したブロックは、フォークリフト等で集積場所まで簡易に運搬することができるので、クレーン作業に比較してサイクル時間を短縮することが可能である。
【図面の簡単な説明】
【図１】撤去装置の正面図。
【図２】撤去作業時の正面図。
【図３】撤去作業時の平面図。
【図４】梃子にヒンジを挿入した状態の拡大図。
【図５】梃子の側面図。
【図６】従来の撤去装置を使用した撤去時の斜視図。
【図７】他の従来例の正面図。
【符号の説明】
１    コンクリート床版
２１  撤去ブロック
２２、２３  隣接ブロック
３    切断線
５    鋼棒
６    ジャッキ
１０  梃子
１１  腕
１２  支持脚
１５  スペーサ
１７  ヒンジ
【図１】
0004308896.tif 000002
【図２】
0004308896.tif 000003
【図３】
0004308896.tif 000004
【図４】
0004308896.tif 000005
【図５】
0004308896.tif 000006
【図６】
0004308896.tif 000007
【図７】
0004308896.tif 000008